(57)【要約】【課題】任意に描画してその軌跡を所定間隔毎に定義点としてプロットし、隣り合う定義点を定義線分で結合した折線を成形条件グラフとして表示する成形条件グラフ表示画面を含む成形機の制御装置において、その条件グラフを修正する際に、定義点同士の間が狭くても複数個の定義点を容易に指定し、その点群を短い移動量でも容易にまとめて移動できることが望まれる。【解決手段】その表示画面に、指定された定義点またはその点群の修正を行う修正操作ボックスを表示させて、そのボックスに、指定された定義点の隣の定義線分または指定された定義線分の隣の定義点に修正対象を変更させる修正対象変更キーと、指定された定義点の隣の定義点を修正対象に追加させる修正対象追加キーと、指定された点群のうちの端の定義点を修正対象から除外させる修正対象除外キーと、指定された定義点またはその点群を上下左右にまとめて移動させる修正対象移動キーとを備えた。【選択図】図２
2010131784.tif 000002
【特許請求の範囲】
【請求項１】
任意に描画してその軌跡を所定間隔毎に定義点としてプロットするとともに隣り合う定義点を定義線分で結合して表示した折線を成形条件グラフとしてグラフィック表示する成形条件グラフ表示画面を含む成形機の制御装置において、
前記成形条件グラフ表示画面には、
グラフ表示上の前記定義点、前記定義線分または複数個のその定義点の群を、修正対象定義点またはその点群として指定する操作を可能にする修正操作モード選択キーと、指定された定義点またはその点群の修正操作を行う修正操作ボックスとをその成形条件グラフ表示画面上に並べて表示させて、
その修正操作ボックスには、指定されたその定義点の隣のその定義線分または指定されたその定義線分の隣のその定義点に修正対象を変更させるための修正対象変更キーと、
指定されたその定義点の隣のその定義点を修正対象に追加させるための修正対象追加キー、および指定された少なくとも２つの定義点のうちの端の定義点を修正対象から除外させるための修正対象除外キーからなる指定点増減キーとからなる指定点変更増減キーグループと、
指定された定義点またはその点群を上下左右に移動させる修正対象移動キーとを備えたことを特徴とする射出成形機の制御装置。
【請求項２】
前記指定点増減キーと前記修正対象変更キーとを含む前記指定点変更増減キーグループは、前記成形条件グラフの左右方向の前記定義点に対応するように、前記修正対象移動キーの両側にそれぞれ配置されたことを特徴とする請求項１記載の射出成形機の制御装置。
【請求項３】
前記成形条件グラフ表示画面上に表示された射出条件グラフと保圧条件グラフが左右に配置されるとともに、前記修正操作ボックスが、修正操作が無効にされた条件グラフ上に表示されて、その修正操作ボックスが、修正操作が有効にされた条件グラフに対して併設表示されるように切り換えられることを特徴とする請求項２記載の射出成形機の制御装置。
【請求項４】
前記成形条件グラフ表示画面がタッチパネル表示装置上で表示される画面であり、前記修正操作モード選択キーと前記修正操作ボックスのキーが画面タッチによって操作されることを特徴とする請求項１ないし３記載の射出成形機の制御装置。
【発明の詳細な説明】
【技術分野】
【０００１】
本発明は、任意に描画してその軌跡を所定間隔毎に定義点としてプロットするとともに隣り合う定義点を定義線分で結合して表示した折線を成形条件グラフとしてグラフィック表示する成形条件グラフ表示画面を含む成形機の制御装置に関する。
【背景技術】
【０００２】
一般に、射出成形機は、計量工程で射出シリンダ内に溶融樹脂を供給し、射出工程で射出シリンダ内のプランジャまたは射出スクリュを駆動装置で前進させてその溶融樹脂を金型内に所定の速度で射出充填し、保圧工程でそのプランジャまたはそのスクリュを駆動装置でさらに加圧して、成形品を得る（以下、代表してプランジャで説明する）。
【０００３】
その射出工程では、その駆動装置を制御する制御装置に送られてくるプランジャの位置や速度の検出値と、その制御装置に備える記憶装置に予め記憶された射出条件グラフとを比較しながら、その条件グラフに応じて駆動装置が制御される。また、その保圧工程でも、同様に保圧条件グラフと保圧や保圧時間の検出値とを比較しながらその条件グラフに応じて駆動装置が制御される。
【０００４】
そのような射出成形機において、本願出願人は、国際出願第ＰＣＴ／ＪＰ２００８／０６２２２９号で、射出条件グラフなどの成形条件グラフ（先願では、成形条件波形と記載。）を、その制御装置に備える表示装置に表示した成形条件グラフ表示画面上の成形条件グラフ表示領域（先願では、２次元座標と記載。）に任意に描画しながらその軌跡を所定間隔毎に定義点（先願では、設定点と記載。）としてプロットするとともに隣り合う定義点を定義線分（先願では、設定線と記載。）で結合した折れ線として表示させる描画設定方法を提案した。この方法では、その表示装置上の座標入力装置からオペレータが連続して描画入力した座標点を逐次更新しながら読み込み、その座標点と前回記憶された定義点との直線距離が演算され、その距離が所定の距離離れたときに、その座標点をつぎの定義点として記憶するようにしている。そのため、この方法では、例えば、描画入力される成形条件グラフが、横軸の位置や時間に対して縦軸の速度や圧力を大きく変動させても、その変動に追従した折れ線の成形条件グラフを設定できる。
【０００５】
さらに、この方法には、設定済みの成形条件グラフを表示した成形条件グラフ表示領域に対して、オペレータが描画入力することによって、修正したいその定義点やその定義線分を指定するとともに、定義点同士の間の距離に関係なく、その定義点やその定義線分を移動または追加する修正設定を含む描画設定方法も提案した。
【発明の開示】
【発明が解決しようとする課題】
【０００６】
しかしながら、本願出願人は、まだ改良の余地があると考えた。なぜなら、上記描画入力は、ライトペンやタッチパネルなどの座標入力装置を使用し、表示装置に表示した成形条件グラフ表示画面のグラフ表示領域をライトペンやオペレータの指でなぞるようにして行われる。そのため、設定済みの成形条件グラフの定義点同士の間の距離が狭い場合には、オペレータが修正したい定義点や定義線分を指定することが困難なことがあった。そして、指定された定義点や定義線分の移動に際しても、その移動距離が短い場合には、移動操作が困難なこともあった。
【０００７】
そこで、本願出願人は、設定済みの成形条件グラフを修正する際に、定義点同士の間の距離が狭い場合でも修正したい定義点や定義線分を指定する操作を容易にし、加えて複数個の定義点を修正対象として指定する操作も容易にする射出成形機の制御装置を提案することを目的とする。また、修正対象に指定された定義点、定義線分またはその点群を、まとめて短い移動量を移動させる操作も容易にする射出成形機の制御装置を提案することを目的とする。また、修正操作のための各種キーを成形条件グラフ表示画面上に表示させる際に、オペレータが修正操作し易い位置にその各種キーを配置するとともに、限られた表示画面上のスペースを有効に活用してその各種キーを表示した表示画面を含む射出成形機の制御装置を提案することを目的とする。
【課題を解決するための手段】
【０００８】
本発明の射出成形機の制御装置は、上述の課題を解決するために、第１の制御装置として、任意に描画してその軌跡を所定間隔毎に定義点としてプロットするとともに隣り合う定義点を定義線分で結合して表示した折線を成形条件グラフとしてグラフィック表示する成形条件グラフ表示画面を含む成形機の制御装置において、前記成形条件グラフ表示画面には、グラフ表示上の前記定義点、前記定義線分または複数個のその定義点の群を、修正対象定義点またはその点群として指定する操作を可能にする修正操作モード選択キーと、指定された定義点またはその点群の修正操作を行う修正操作ボックスと、をその成形条件グラフ表示画面上に並べて表示させて、その修正操作ボックスには、指定されたその定義点の隣のその定義線分または指定されたその定義線分の隣のその定義点に修正対象を変更させるための修正対象変更キーと、指定されたその定義点の隣のその定義点を修正対象に追加させるための修正対象追加キー、および指定された少なくとも２つの定義点のうちの端の定義点を修正対象から除外させるための修正対象除外キーからなる指定点増減キーとからなる指定点変更増減キーグループと、指定された定義点またはその点群を上下左右に移動させる修正対象移動キーとを備えたことを特徴とする。
【０００９】
また、本発明の第２の制御装置は、上記第１の制御装置において、前記指定点増減キーと前記修正対象変更キーとを含む前記指定点変更増減キーグループが、前記成形条件グラフの左右方向の前記定義点に対応するように、前記修正対象移動キーの両側にそれぞれ配置されたことを特徴とする。
【００１０】
また、本発明の第３の制御装置は、上記第２の制御装置において、前記成形条件グラフ表示画面上に表示された射出条件グラフと保圧条件グラフが左右に配置されるとともに、前記修正操作ボックスが、修正操作が無効にされた条件グラフ上に表示されて、その修正操作ボックスが、修正操作が有効にされた条件グラフに対して併設表示されるように切り換えられることを特徴とする。
【００１１】
また、本発明の第４の制御装置は、上記第１ないし第３の制御装置において、前記成形条件グラフ表示画面がタッチパネル表示装置上で表示される画面であり、前記修正操作モード選択キーと前記修正操作ボックスのキーが画面タッチによって操作されることを特徴とする。
【発明の効果】
【００１２】
本発明の第１の射出成形機の制御装置では、修正対象変更キーによって、修正対象を隣の定義点または隣の定義線分に順番に変更させる操作ができるので、どんなに定義点同士の間の距離が狭くても容易に修正したい定義点または定義線分を指定させることができる。また、その変更キーでは、その変更キーだけで定義点または定義線分を切り換えて指定できるので、余分な操作キーの数を削減できる。また、指定点増減キーでは、修正対象定義点またはその点群に対してその隣の定義点を修正対象に追加し、あるいは修正対象点群に対してそのうちの端の修正対象定義点を修正対象から除外させる操作ができるので、容易に複数の定義点を修正対象に指定させることができる。また、修正対象移動キーでは、修正対象の定義点、定義線分または点群をまとめて上下左右に移動させる操作の際に、その移動量が短くても容易に移動させることができる。
【００１３】
また、本発明の第２の射出成形機の制御装置では、修正対象変更キーと指定点増減キーとを含む指定点変更増減キーグループを成形条件グラフの左右方向の定義点に対応するように、修正対象移動キーの両側にそれぞれ配置したことで、それらキーの配置と修正対象の変更方向およびその増減方向が一致して、オペレータにとって操作性が向上される。
【００１４】
また、本発明の第３の射出成形機の制御装置では、成形条件グラフ表示画面上に表示された射出条件グラフと保圧条件グラフが左右に配置されて、修正操作ボックスが修正操作されない条件グラフ上に表示されるので、その表示画面上の表示スペースが有効に活用されるとともに、その修正操作ボックスが修正操作される条件グラフに併設して表示されるのでオペレータにとって修正操作の操作性が向上される。
【００１５】
また、本発明の第４の射出成形機の制御装置では、成形条件グラフ表示画面がタッチパネル表示装置上で表示される画面であって、修正操作モード選択キーと修正操作ボックスの各種キーが画面タッチによって操作されるので、修正操作ボックスの各種キーによる成形条件グラフの修正操作が、オペレータにとってより操作性の良いものとなる。
【発明を実施するための最良の形態】
【００１６】
以下、本発明の射成形機の制御装置が備える表示画面が図１ないし図８とともに説明される。図１は、本発明の成形条件グラフ表示画面の概略図である。図２は、射出条件グラフの修正操作が有効になり、修正操作ボックスが表示された状態の本発明の成形条件グラフ表示画面の概略図である。図３は、本発明の修正操作ボックスを示す図である。図４は、本発明の修正対象変更キーについて射出条件グラフを例に説明する図である。図５は、本発明の修正対象追加キーについて射出条件グラフを例に説明する図である。図６は、本発明の修正対象除外キーについて射出条件グラフを例に説明する図である。図７は、本発明の修正対象移動キーについて射出条件グラフを例に説明する図である。そして、図８は、保圧条件グラフの修正操作が有効になって、修正操作ボックスが表示された状態の本発明の成形条件グラフ表示画面の概略図である。なお、本発明は、本願出願人が提案した国際出願第ＰＣＴ／ＪＰ２００８／０６２２２９号の成形条件グラフの描画設定方法に関して、それに含まれる設定済みの成形条件グラフに対する修正（編集）操作モードの改良である。したがって、後述する修正操作ボックスとそれに含まれる各種キーに関すること以外は、先願と略同一であって、その説明が省略される。
【００１７】
本発明の射出成形機の制御装置には、成形機の各種情報を表示する表示装置と、その表示装置に表示された操作キーの選択や成形条件グラフを描画入力するための座標入力装置と、その他の成形条件を入力するキーボートと、成形条件グラフやその他の成形条件を記憶する記憶装置とが含まれる。本実施例では、その座標入力装置にタッチパネルを用いて、そのタッチパネルを表示装置の画面上に装着した状態で、オペレータがそのタッチパネルに指などで触れること（タッチすること）で座標点を入力する形で説明を進める。なお、その他に、マウスを用いて、オペレータが表示装置に表示されるマウスカーソルを見ながら座標点を入力するようにしても良い。また、ライトペンを用いて、オペレータが受光装置を備えるそのペンの先を表示装置の画面上に接触させることで座標点を入力するようにしても良い。
【００１８】
その表示装置には、図１に示すような成形条件グラフ表示画面２が用意される。この画面は、射出設定キー１が選択されると表示されるものである。その成形条件グラフ表示画面２には、射出速度と保圧の成形条件を入力する設定項目欄が配置される。前者の射出速度条件の設定項目には、少なくとも計量完了位置とＶＰ切換位置と最高速度とを数値で入力する入力欄３がある。計量完了位置は、一回の成形に必要な溶融樹脂を射出シリンダ内に供給した際のプランジャの後退位置であって、プランジャが前進を開始する位置である。ＶＰ切換位置は、速度制御から圧力制御に切換わる位置であって、溶融樹脂の射出充填から保圧に切換わる位置である。また、最高速度は、射出速度の上限値である。後者の保圧条件の設定項目には、少なくとも保圧時間と最高圧力とを数値で入力する入力欄４がある。保圧時間は、保圧をかける時間である。また、最高圧力は、保圧の上限値である。なお、それら入力欄３、４は、キーボードなどから入力される。
【００１９】
１０は、成形条件グラフ表示領域であって、射出条件グラフ表示領域１１と保圧条件グラフ表示領域１２が左右に並べて表示される。前者の射出条件グラフ表示領域１１は、その横軸（ｘ軸）がプランジャ位置Ｓを表し、縦軸（ｙ軸）が射出速度Ｖを表す。その横軸の最小値１１１は、ＶＰ切換位置であってプランジャをその前進限位置（ゼロ）から僅かにプラス方向（図で右方）に後退した略ゼロの位置である。その横軸の最大値１１２は、計量完了位置であってプランジャをその前進限位置（ゼロ）からプラス方向に後退した位置である。その縦軸の最小値１１３は、ゼロである。そして、その縦軸の最大値１１４は、射出速度の最高速度であってプラス方向（図で上方）の値となる。後者の保圧条件グラフ表示領域１２は、その横軸（ｘ軸）が保圧時間Ｔを表し、その縦軸（ｙ軸）が保圧Ｐを表す。その横軸の最小値１１５は、ゼロである。その横軸の最大値１１６は、保圧時間であってプラス方向（図で左方）の値である。その縦軸の最小値１１７は、ゼロである。そして、その縦軸の最大値１１８は、保圧の最高圧力であってプラス方向（図で上方）の値である。
【００２０】
５と６は、移動量の入力欄であって、後述される修正対象移動キー３６によって修正対象定義点２５またはその点群２７を移動操作させる際に、そのキーが１回押されたときの所定移動量を設定するためのものである。位置と速度の移動量の入力欄５は、射出条件グラフ表示領域１１の横軸のプランジャ位置Ｓとその縦軸の射出速度Ｖに対応する。また、時間と圧力の移動量の入力欄６は、保圧条件グラフ表示領域１２の横軸の保圧時間Ｔとその縦軸の保圧Ｐに対応している。
【００２１】
７は、描画設定モード選択キーであって、成形条件グラフ２０を新しく描画入力するモードに切り換えるものである。その波形描画モードが選択されると、その制御装置は、オペレータが射出条件グラフ表示領域１１上または保圧条件グラフ表示領域１２上に任意に描画入力したグラフに対して、その軌跡を所定間隔毎に定義点２３としてプロットするとともに隣り合う定義点２３を定義線分２４で結合した折線を射出条件グラフ２１または保圧条件グラフ２２としてそれぞれのグラフ表示領域１１または１２にグラフィック表示する。そして、その制御装置は、その装置に備える記憶装置にそのプロットされた定義点の座標値を記憶して、射出条件グラフ２１または保圧条件グラフ２２として設定される。
【００２２】
８は、修正操作モード選択キーであって、設定済みの成形条件グラフ２０を修正操作するモードに切り換えるものである。その修正操作モードでは、まず、オペレータが射出条件グラフ２１と保圧条件グラフ２２のどちらの条件グラフを修正するか指定する。その指定方法は、成形条件グラフ表示画面２上に表示された各条件グラフ２１または２２の定義点２３または定義線分２４を、オペレータがそのグラフ上からタッチすることで行われる。それで、その制御装置は、定義点２３または定義線分２４が指定された方の条件グラフの修正を有効にし、もう一方を修正無効とする。つぎに、その制御装置は、修正が有効になった条件グラフに重ならないように、その成形条件グラフ表示画面２上に修正操作ボックス３０を表示させる。図２は、オペレータが指定した射出条件グラフ２１の定義点２３が修正対象定義点２５として顕在化表示され、修正操作ボックス３０が表示された図である。以下、修正対象として指定された定義点２５は、大きく表示するように顕在化表示させる。なお、その顕在化表示は、図に示すものに限定されない。その他、色を変えるなど、種々の顕在化表示が適用できる。
【００２３】
修正操作ボックス３０には、修正対象変更キー３１と、修正対象追加キー３２と、修正対象除外キー３３と、修正対象移動キー３６とを含む。修正対象追加キー３２と修正対象除外キー３３は、合わせて指定点増減キー３４とも呼ばれる。修正対象変更キー３１と指定点増減キー３４は、合わせて指定点変更増減キーグループ３５とも呼ばれる。なお、３７は、修正操作モードを終了して、修正操作ボックス３０の表示を消すキーである。
【００２４】
修正対象変更キー３１は、修正対象として指定された１つの定義点２５の隣の定義線分２４または修正対象として指定された１つの定義線分２６の隣の定義点２３に修正対象を変更させるためのものである。そして、修正対象変更キー３１には、その修正対象を左隣り（図で左方）に変更するキー３１Ｌと、その修正対象を右隣り（図で右方）に変更するキー３１Ｒとがある。
【００２５】
例えば、図４の図（ａ）のように１つの修正対象定義点２５が指定されている状態において、オペレータが修正対象変更キー３１のうち左隣りに変更するキー３１Ｌを１回押すことで、図（ｂ）のように図（ａ）の修正対象定義点２５の左隣りの定義線分２４に修正対象が変更されて、その線分が修正対象定義線分２６となる。この例では、修正対象となった定義線分２６を、その線分を構成している２つの定義点２３が顕在化表示されることで表示している。そして、さらにそのキー３１Ｌをもう１回押すと、図（ｃ）のように、図（ｂ）の修正対象定義線分２６の左隣りの定義点２３に修正対象が変更されて、その定義点が修正対象定義点２５となるともに顕在化表示される。
【００２６】
そのような修正対象変更キー３１によって、オペレータは、定義点２３同士の間の距離が狭くても容易に修正対象を変更することができる。
【００２７】
指定点増減キー３４は、修正対象定義点２５の隣の定義点２３を修正対象に追加させるための修正対象追加キー３２と、そのように追加された複数の修正対象定義点２５の集まりである修正対象点群２７の端の修正対象定義点２５を修正対象から除外する修正対象除外キー３３とを１組にしたものである。図３では、修正対象追加キー３２にはプラス記号、修正対象除外キー３３にはマイナス記号が表示されている。そして、指定点増減キー３４は、その修正対象定義点２５の増減操作を、修正対象定義点２５またはその点群２７の左側（図で左方）に対して行うその増減キー３４Ｌ（３２Ｌと３３Ｌを含む）と、修正対象定義点２５またはその点群２７の右側（図で右方）に対して行うその増減キー３４Ｒ（３２Ｒと３３Ｒを含む）とがある。
【００２８】
例えば、図５の図（ａ）のように１つの修正対象定義点２５が指定されている状態から、オペレータが修正対象定義点２５またはその点群２７の左側に対して修正対象定義点２５を追加させる修正対象追加キー３２Ｌを１回押すと、図（ｂ）のように図（ａ）の修正対象定義点２５の左隣りの１個の定義点２３が修正対象定義点２５として追加されるとともに顕在化表示される。さらに、その追加キーをもう１回押すと、図（ｃ）のように、図（ｂ）の修正対象点群２７の左端の修正対象定義点２５の左隣りの１個の定義点２３が修正対象点群２７に追加されるとともに顕在化表示される。したがって、この例では、射出条件グラフ２１の左方向の定義点２３に対応して、修正対象定義点２５が１個から３個に増加される。
【００２９】
逆に、例えば、図６の図（ａ）のように３つの修正対象定義点２５が集まった修正対象点群２７が指定された状態から、オペレータがその点群２７の左側から修正対象定義点２５を除外させる修正対象除外キー３３Ｌを１回押すと、図（ｂ）のように図（ａ）の修正対象点群２７の左端の１個の修正対象定義点２５がその点群２７から除外されるとともに顕在化表示もされなくなる。さらに、その除外キー３３Ｌをもう１回押すと、図（ｃ）のように、図（ｂ）の２個の修正対象定義点２５からなる修正対象点群２７の左端の１個の修正対象定義点２５が、その点群２７から除外されるとともに顕在化表示もされなくなる。したがって、この例では、射出条件グラフ２１の左方向の定義点２３に対応して、修正対象定義点２５が３個から１個に減少される。
【００３０】
そのような指定点増減キー３４によって、定義点２３同士の間の距離が狭くても、複数個の定義点２３を修正対象定義点２５に指定する操作を容易にすることができる。
【００３１】
修正対象移動キー３６は、修正対象定義点２５またはその点群２７を上下左右（図で上下左右の方向）に移動させるためのものである。もちろん、修正対象点群２７の移動の際には、複数の修正対象定義点２５を上下左右にまとめて移動させることができる。その修正対象移動キー３６には、上移動キー３６Ｕ、下移動キー３６Ｄ、左移動キー３６Ｌ、右移動キー３６Ｒの４個のキーがある。
【００３２】
例えば、図７の図（ａ）のように３つの修正対象定義点２５が集まった修正対象点群２７が指定された状態から、オペレータが上移動キー３６Ｕを１回押す毎に、予め設定された所定移動量ずつ、図（ｂ）のようにその点群２７を上方向にまとめて移動させる。その状態から、オペレータが左移動キー３６Ｌを１回押す毎に、予め設定された所定移動量ずつ、図（ｃ）のようにその点群を左方向にまとめて移動させる。この例では、射出条件グラフ２１の修正対象点群２７を移動させたので、その上下方向の所定移動量は、成形条件グラフ表示画面２上に設けた速度の移動量入力欄５の設定値とされる。また、その左右方向の所定移動量は、その画面２上に設けた位置の移動量入力欄５の設定値とされる。また、修正対象移動キー３６は、そのキー３６を、例えば数秒間押したままの状態、すなわち長押しすると所定移動量の例えば１０倍の移動量を一度に移動させるようにしても良い。なお、図（ｂ）と図（ｃ）の点線で示された部分は、説明のために移動操作前の状態を示したものである。
【００３３】
そのような修正対象移動キー３６によって、従来のようなオペレータの描画入力による移動に比べて、より細かい移動操作を可能にする。なお、修正対象定義点２５またはその点群２７を修正対象ではない定義点２３を超えて左方向または右方向に移動させる場合がある。その場合には、従来通りその修正対象ではない定義点２３が削除される。
【００３４】
上記のような修正操作ボックス３０は、つぎのようにされるとなお良い。図３のように、修正対象変更キー３１と指定点増減キー３４とを含む指定点変更増減キーグループ３５を、左側用のグループ３５Ｌと右側用のグループ３５Ｒの２つに分けるとともに、修正対象移動キー３６の左右にそれぞれ配置させると良い。そのようにキーを配置されることで、修正操作の方向と、それらキーの配置が一致して、オペレータが修正操作し易くなる。
【００３５】
また、修正操作ボックス３０を、２つある条件グラフ２０のうちで修正操作が無効にされたグラフ（図２では保圧条件グラフ２２）の上に重ねて表示させて、修正が有効にされたグラフ（図２では射出条件グラフ２１）に併設表示されるように切り換えて表示させると良い。また、修正対象変更キー３１によって修正対象定義点２５を左側または右側に変更し続けてＶＰ切換位置１１１を超えたなら、２つある条件グラフ２０の修正操作に対する有効無効を反転させるとともに、無効に切り換えられたグラフに重ねて修正操作ボックス３０を表示させるように切り換えて表示させても良い。例えば、図２のように射出条件グラフ２１の修正操作が有効にされて、修正操作が無効にされた保圧条件グラフ２２に重ねて修正操作ボックス３０が表示されている。それで、オペレータが、左側に修正対象を変更する修正対象変更キー３１Ｌを押して、修正対象定義点２５をＶＰ切換位置１１１よりもさらに左側に変更させる。すると、図８のように保圧条件グラフ２２の修正操作が有効にされて、修正が無効にされた射出条件グラフ２１に重ねて修正操作ボックス３０を表示させるように切り換えられる。
【００３６】
また、修正操作が完了し、修正した成形条件グラフ２０を最終的に制御装置の記憶装置に記憶させる操作キーとして、成形条件グラフ表示画面２上またはキーボード上に確定キー（図示省略）を備えると良い。また、修正操作した成形条件グラフ２０を修正操作前の状態に戻す操作キーとして、成形条件グラフ表示画面２上またはキーボード上に取消キー（図示省略）を備えると良い。それによって、その確定キーが押されるまでは、その取消キーによって、修正操作をやり直すことができる。
【００３７】
なお、上記のような修正操作ボックス３０による修正操作の際に、従来の成形条件グラフ領域１０に対して描画入力する修正操作も可能になっている。
【図面の簡単な説明】
【００３８】
【図１】本発明の成形条件グラフ表示画面の概略図である。
【図２】本発明の成形条件グラフ表示画面において、射出条件グラフの修正操作が有効になって、修正操作ボックスが表示された状態のその画面の概略図である。
【図３】本発明の修正操作ボックスを示す図である。
【図４】本発明の修正対象変更キーについて射出条件グラフを例に説明する図である。
【図５】本発明の修正対象追加キーについて射出条件グラフを例に説明する図である。
【図６】本発明の修正対象除外キーについて射出条件グラフを例に説明する図である。
【図７】本発明の修正対象移動キーについて射出条件グラフを例に説明する図である。
【図８】本発明の成形条件グラフ表示画面において、保圧条件グラフの修正操作が有効になって、修正操作ボックスが表示された状態のその画面の概略図である。
【符号の説明】
【００３９】
２        成形条件グラフ表示画面
７        描画設定モード選択キー
８        修正操作モード選択キー
１０      成形条件グラフ表示領域
１１      射出条件グラフ表示流域
１２      保圧条件グラフ表示領域
２０      成形条件グラフ
２１      射出条件グラフ
２２      保圧条件グラフ
２３      定義点
２４      定義線分
２５      修正対象定義点
２６      修正対象定義線分
２７      修正対象点群
３０      修正操作ボックス
３１      修正対象変更キー
３１Ｌ    左方向の修正対象変更キー
３１Ｒ    右方向の修正対象変更キー
３２      修正対象追加キー
３２Ｌ    左側用の修正対象追加キー
３２Ｒ    右側用の修正対象追加キー
３３      修正対象除外キー
３３Ｌ    左側用の修正対象除外キー
３３Ｒ    右側用の修正対象除外キー
３４      修正対象追加キーと修正対象除外キーからなる指定点増減キー
３４Ｌ    左側用の指定点増減キー
３４Ｒ    右側用の指定点増減キー
３５      修正対象変更キーと指定点増減キーからなる指定点変更増減キーグループ
３５Ｌ    左側用の指定点変更増減キーグループ
３５Ｒ    右側用の指定点変更増減キーグループ
３６      修正対象移動キー
【図１】
2010131784.tif 000003
【図２】
2010131784.tif 000004
【図３】
2010131784.tif 000005
【図４】
2010131784.tif 000006
【図５】
2010131784.tif 000007
【図６】
2010131784.tif 000008
【図７】
2010131784.tif 000009
【図８】
2010131784.tif 000010